(57)【要約】【課題】サイフォン排水管を洗浄する際に、洗浄ホースの挿入口側からの洗浄水の溢れ出しを抑制可能なサイフォン排水システム用継手を提供する。【解決手段】サイフォン排水システム用継手６０において、流入連結部６４は、中空部６０Ａに連通する孔で構成されており、竪管２６を挿入可能としている。洗浄時にノズル部８４から噴射された洗浄水は下流側へ流れ、流入連結部６４から中空部６０Ａへ流入する。そして、洗浄水は、流入連結部６４と対向する位置に配置された流出連結部６６へ向かい、合流部継手４２、継手４０を経て、排水立て管１２へ流出される。挿入部６８にはローラ対６８Ｒが設けられ、ローラ対６８Ｒは洗浄ホース８０の外面に接触しつつ回転可能とされている。【選択図】図７
2014111890.tif 000002
【特許請求の範囲】
【請求項１】
サイフォン排水システムで竪管の下流端で用いられるサイフォン排水システム用継手であって、
中空とされた本体部と、
前記竪管の下流端と連結され、前記竪管からの排水を前記本体部内に流入させる流入連結部と、
前記本体部から前記竪管からの排水を排出するための排出部へ向かって排水を流出させる流出連結部と、
前記竪管から流入する排水の進行方向に非対向の位置から前記本体部内に洗浄ホースを挿入可能にする挿入口と、
前記挿入口に設けられ、前記洗浄ホースの外面に接触しつつ回転可能な回転部材と、
を備えたサイフォン排水システム用継手。
【請求項２】
前記挿入口を閉鎖可能な閉鎖部材を備え、サイフォン排水システムに常時設置されていること、を特徴とする請求項１に記載のサイフォン排水システム用継手。
【請求項３】
前記流出連結部は、前記サイフォン排水システムにおいて前記竪管が連結されている竪管連結部に連結可能とされていること、を特徴とする請求項１に記載のサイフォン排水システム用継手。
【請求項４】
前記本体部は筒形状とされ、筒の一端側に前記流入連結部が設けられると共に筒の他端側に前記流出連結部が設けられ、前記挿入口が筒の側部に構成されていること、を特徴とする請求項１〜請求項３のいずれか１項に記載のサイフォン排水システム用継手。
【請求項５】
前記本体部が透明であること、を特徴とする請求項１〜請求項４のいずれか１項に記載のサイフォン排水システム用継手。
【請求項６】
前記流入連結部には、前記本体部内側から外側へ向かって小径となるテーパー形状の案内部が形成されていること、を特徴とする請求項１〜請求項５のいずれか１項に記載のサイフォン排水システム用継手。
【発明の詳細な説明】
【技術分野】
【０００１】
本発明は、サイフォン力を利用して排水するサイフォン排水システムに用いられるサイフォン排水システム用継手に関する。
【背景技術】
【０００２】
近年、従来の勾配排水システムに代替可能な、サイフォン排水システムが提案されている。サイフォン排水システムは、水廻り器具とサイフォン排水管とを含んで構成されている。
【０００３】
サイフォン排水管は、床スラブに沿って無勾配で配管された横引き管と、垂下部をなす竪管とで構成されている。そして、横引き管と竪管とは、他の排水管と合流することなく１本の経路で排水導入管から排水立て管へ至っているという特徴を有している。このように構成されたサイフォン排水システムによれば、竪管にて発生するサイフォン力（負圧力）を利用して、水廻り器具からの排水効率の向上を図ることができる。
【０００４】
ところで、サイフォン排水システムにおけるサイフォン排水管は、従来の配管よりも径が小さいという特徴を有している。そこで、サイフォン排水管を洗浄する場合には、従来の排水システムと同様の方法で洗浄を行うと、不都合が生じる場合がある。例えば、後方噴射型ノズルの洗浄ホースを用いて管内の洗浄を行う場合、従来の排水管は、管径が５０Ａ程度以上であるため、洗浄ホースと管の内壁との間に充分な隙間があり、洗浄ホースから後方噴射（挿入の進行方向と逆側）された洗浄水は、洗浄ホースのノズル部よりも手前側へ噴射された後、奥側（挿入口と逆側）へ向かって流れる（特許文献１参照）。
【先行技術文献】
【特許文献】
【０００５】
【特許文献１】特開２００４−１１６１３７号公報
【発明の概要】
【発明が解決しようとする課題】
【０００６】
しかしながら、サイフォン排水管では、洗浄ホースと管の内壁との隙間が狭く、洗浄ホースから後方噴射された洗浄水の多くは洗浄ホースの挿入口側へ流れ、挿入口から外へ溢れてしまうという問題がある。
【０００７】
本発明は、上記事実を考慮し、サイフォン排水システムに用いられ、サイフォン排水管を洗浄する際に、洗浄ホースの挿入口側からの洗浄水の溢れ出しを抑制可能なサイフォン排水システム用継手を提供することを目的とする。
【課題を解決するための手段】
【０００８】
本発明の請求項１に係るサイフォン排水システム用継手は、サイフォン排水システムで竪管の下流端で用いられるサイフォン排水システム用継手であって、中空とされた本体部と、前記竪管の下流端と連結され、前記竪管からの排水を前記本体部内に流入させる流入連結部と、前記本体部から前記竪管からの排水を排出するための排出部へ向かって排水を流出させる流出連結部と、前記竪管から流入する排水の進行方向に非対向の位置から前記本体部内に洗浄ホースを挿入可能にする挿入口と、前記挿入口に設けられ、前記洗浄ホースの外面に接触しつつ回転可能な回転部材と、を備える。
【０００９】
上記構成のサイフォン排水システム用継手を用いて洗浄ホースでの洗浄を行うには、まず、洗浄ホースの先端を挿入口から挿入し、さらに本体部内から流出連結部を経て竪管へと挿入する。そして、洗浄ホースの先端から洗浄水を噴射させて、サイフォン排水管を洗浄する。すると、竪管の下流側へ向かって流れる洗浄水は、流入連結部を経て本体部内へ流入し、流出連結部を経て排出部へと流出する。
【００１０】
本発明によれば、洗浄ホースから噴射された洗浄水が本体部を経て排水立て管へ向かうので、挿入口側から洗浄水が溢れ出ることを抑制することができる。また、サイフォン排水管は、竪管の下流端から水廻り器具までの間に他の管と合流していないので、下流側から上流側へ向かって洗浄ホースを容易に挿入することができる。さらに、挿入口に回転部材を設けておくことにより、洗浄ホースをスムーズに送り出したり引き込んだりすることができる。
【００１１】
本発明の請求項２に係るサイフォン排水システム用継手は、前記挿入口を閉鎖可能な閉鎖部材を備え、サイフォン排水システムに常時設置されていること、を特徴とする。
【００１２】
このように、閉鎖部材を設けて挿入口の排水の流出を防止し、サイフォン排水システム用継手を常時サイフォン排水システムに設置することができる。
【００１３】
本発明の請求項３に係るサイフォン排水システム用継手は、前記流出連結部が、前記サイフォン排水システムにおいて前記竪管が連結されている竪管連結部に連結可能とされていること、を特徴とする。
【００１４】
このように、前記流出連結部を竪管連結部に連結可能とすることにより、サイフォン排水管を洗浄する時に、１本ずつ竪管を竪管連結部から外してサイフォン排水システム用継手に連結させると共に、サイフォン排水システム用継手の流出連結部を竪管連結部へ連結させて、洗浄を行うことができる。
【００１５】
本発明の請求項４に係るサイフォン排水システム用継手は、前記本体部が筒形状とされ、筒の一端側に前記流入連結部が設けられると共に筒の他端側に前記流出連結部が設けられ、前記挿入口が筒の側部に構成されていること、を特徴とする。
【００１６】
上記構成では、流入連結部から流入する洗浄水の進行方向に流出連結部が設けられているので、洗浄水をスムーズに排出部へ流出させることができる。また、挿入口は流入連結部から流入する洗浄水の進行方向と９０度の角度をもって構成されているので、挿入口からの洗浄水の流出を抑制することができる。
【００１７】
本発明の請求項５に係るサイフォン排水システム用継手は、前記本体部が透明であること、を特徴とする。
【００１８】
このように、本体部を透明にすることにより、内部を見ることができ、洗浄ホースの挿入や操作を行いやすくすることができる。
【００１９】
本発明の請求項６に係るサイフォン排水システム用継手は、前記流入連結部には、前記本体部内側から外側へ向かって小径となるテーパー形状の案内部が形成されていること、を特徴とする。
【００２０】
このように、案内部を形成することにより、挿入口から本体部内に挿入した洗浄ホースの先端を、流入連結部に容易に挿入することができる。
【発明の効果】
【００２１】
本発明は、上記構成としたので、サイフォン排水管を洗浄する際に、洗浄ホースの挿入口側からの洗浄水の溢れ出しを抑制することができる。
【図面の簡単な説明】
【００２２】
【図１】第１実施形態に係るサイフォン排水システムの全体構成を示す概略図である。
【図２】第１実施形態に係るサイフォン排水システムの貯留槽と配管の接続を示した斜視図である。
【図３】貯留槽の外側が防音シートで覆われている状態を示す概略図である。
【図４】第１実施形態に係るサイフォン排水システム用継手（非洗浄時）の断面図である。
【図５】第１実施形態に係るサイフォン排水管の洗浄ホースの概略図である。
【図６】第１実施形態に係るサイフォン排水システム用継手（非洗浄時）の断面図である。
【図７】第１実施形態に係るサイフォン排水システム用継手の変形例（洗浄時）の断面図である。
【図８】（Ａ）は第１実施形態に係るサイフォン排水システム用継手の変形例（非洗浄時）の断面図であり、（Ｂ）は開口付近（閉鎖時）を開口側からみた概略図である。
【図９】（Ａ）は第１実施形態に係るサイフォン排水システム用継手の変形例（洗浄時）の断面図であり、（Ｂ）は開口付近（開口時）を開口側からみた概略図であり、（Ｃ）は開口付近（洗浄時）を開口側からみた概略図である。
【図１０】第１実施形態に係るサイフォン排水システム用継手の変形例（非洗浄時）の断面図である。
【図１１】第１実施形態に係るサイフォン排水システム用継手の変形例（洗浄時）の断面図である。
【図１２】第１実施形態に係るサイフォン排水システム用継手の他の変形例（非洗浄時）の断面図である。
【図１３】図１２のサイフォン排水システム用継手の流入連結蓋の上面図である。
【図１４】第１実施形態に係るサイフォン排水システム用継手の他の変形例を用いたサイフォン排水システムの全体構成図である。
【図１５】図１４のサイフォン排水システム用継手（非洗浄時）の断面図である。
【図１６】第２実施形態に係るサイフォン排水システムの全体構成を示す概略図である。
【図１７】第２実施形態に係る洗浄用継手の構成を示す概略図である。
【図１８】サイフォン排水システムの洗浄形態としてその他の形態を示した概略説明図である。
【図１９】サイフォン排水システムの洗浄形態としてその他の形態を示した概略説明図である。
【図２０】サイフォン排水システムの洗浄形態としてその他の形態を示した概略説明図である。
【発明を実施するための形態】
【００２３】
［第１実施形態］
以下に、本発明に係る第１実施形態を図面に基づき説明する。
【００２４】
（サイフォン排水システムの構成）
まず、本発明に係るサイフォン排水システム用継手６０が用いられるサイフォン排水システムの構成について説明する。図１は、一時貯留槽方式のサイフォン排水システムの全体構成を示す概略図である。本実施形態では、一時貯留槽方式のサイフォン排水システムを用いて説明するが、本発明は、貯留槽の設置されない非一時貯留槽方式のサイフォン排水システムにも用いることができる。
【００２５】
本実施形態のサイフォン排水システム１０は、サイフォン力を利用して水廻り器具からの排水を効率よく排出する排水システムである。本実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
【００２６】
本実施形態に係るサイフォン排水システム１０は、図１に示すように、排水を下方へ流す排水立て管１２を備えている。この排水立て管１２は、集合住宅の上下方向（縦方向）に延設され、集合住宅の各階の床スラブ１４を貫いている。なお、本実施形態では、サイフォン排水管が排水立て管１２へ合流する構成のもので説明するが、排水立て管１２を備えず、サイフォン排水管からの排水が他の排出部へ排出される構成であってもよい。
【００２７】
集合住宅の各階の各戸には、排水がなされる複数の水廻り器具１６が設けられている。水廻り器具１６は、例えば、台所流し、洗面台、洗濯機、ユニットバス等で構成されている。
【００２８】
水回り器具１６には、水回り器具１６から排出される排水を流す排水導入管１８の一端がそれぞれ接続されている。排水導入管１８の他端は、貯留槽５０と接続されている。排水導入管１８は、貯留槽５０側が低くなるように勾配をもって配設されている。
【００２９】
貯留槽５０は、水廻り器具１６からの排水を一時貯留するためのものである。貯留槽５０の内部には、図２に示すように、貯留空間５２が構成されている。貯留空間５２は、仕切部材５４によって３つの個別貯留部５２Ａ、５２Ｂ、５２Ｃに区画されている。前述した水廻り器具１６からの複数の排水導入管１８Ａ〜１８Ｃは、個別貯留部５２Ａ、５２Ｂ、５２Ｃ、へ各々連結されている。また、貯留槽５０の個別貯留部５２Ａ、５２Ｂ、５２Ｃには、各々にサイフォン排水管２２Ａ、２２Ｂ、２２Ｃ（これらをまとめて「サイフォン排水管２２」という）が接続されている。
【００３０】
なお、貯留槽５０は、排水時における貯留槽５０での音の室内への影響を考慮して、図３に示すように、外側を防音シート５０Ｓで覆ってもよい。
【００３１】
サイフォン排水管２２は、図１に示すように、床スラブ１４に沿って配設される横引き管２４と、この横引き管２４と連通する竪管２６とを備えて構成されている。横引き管２４は、貯留槽５０と連通され、床スラブ１４上で水平方向に無勾配で配設されている。なお、サイフォン排水システムに限らず、あらゆる無勾配排水システムにおいて、無勾配で配設される部分（無勾配部）には、従来排水方式で規定の勾配を確実に設置するために使われてきた硬管を使用しなくても良く、作業性、コスト性を考慮して可撓管が用いられ、一般的に中間接続継手は用いられない。横引き管２４と連通する竪管２６は、排水立て管１２に沿って、上下方向（鉛直方向）に配設されている。竪管２６は、サイフォン排水システム用継手６０を介して合流部継手４２と連結され、合流部継手４２は排水立て管１２同士を連結する継手４０連結されている。
【００３２】
なお、横引き管２４及び竪管２６は、同径の排水管で構成され、サイフォン排水システム用継手６０までは他の排水管と途中で合流することなく、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００３３】
図４に示すように、サイフォン排水システム用継手６０は、本体部６２、流入連結部６４、流出連結部６６、挿入部６８、及び、閉鎖部材７０を備えている。本体部６２は、略円筒形状とされ筒軸が鉛直方向に配置されている。本体部６２の筒内には、中空部６０Ａが構成されている。本体部６２には、円筒の上流端側に流入連結部６４が設けられ、下流端側に流出連結部６６が設けられている。また、本体部６２の側面には、挿入部６８が構成されている。なお、本体部６２は、透明体であることが好ましい。透明体で構成することにより、内部を見ながら、後述する洗浄ホース８０の挿入などを容易に行うことができる。
【００３４】
流入連結部６４は、中空部６０Ａに連通する複数の孔で構成されており、複数の竪管２６を各々挿入可能とされている。複数の孔各々の外側には、竪管２６との連結状態を保持する保持部材６５が設けられている。竪管２６は、保持部材６５を介して流入連結部６４と着脱可能とされている。保持部材６５は、竪管２６の外面と係合する係合部を有していて係合により竪管２６を保持するものであってもよいし、竪管２６の先端外周と保持部材６５の内周にねじを切っておいてねじ螺合により竪管を保持するものであってもよい。流入連結部６４の中空部６０Ａ側には、段差部６０Ｄが構成されており、段差部６０Ｄに、竪管２６の先端部が当接されるようになっている。段差部６０Ｄよりも中空部６０Ａ側には、中空部６０Ａへ向かって大径となるテーパー部６０Ｔが本体部６２と一体的に構成されている。
【００３５】
流出連結部６６は、合流部継手４２を連結可能とされると共に中空部６０Ａに連通する開口孔で構成されている。開口孔の外側には、合流部継手４２との連結状態を保持する保持部材６７が設けられている。
【００３６】
挿入部６８は、本体部６２の側面から外側に突出された円筒形状とされ、内側に中空部６０Ａに連通されると共に後述する洗浄ホース８０を挿入可能な大きさの開口６８Ａが形成されている。
【００３７】
閉鎖部材７０は、挿入部６８を覆うような蓋形状とされ、挿入部６８に取り付けて、開口６８Ａを閉鎖可能とされている。閉鎖部材７０は、ネジ式で挿入部６８の外側に取り付けてもよいし、その他の係合方法により取り付けてもよい。
【００３８】
図５に示すように、洗浄ホース８０は、ホース本体部８２、及び、ノズル部８４を備えている。ノズル部８４には、洗浄水を挿入後方側へ後方噴射するノズル８４Ｎが構成されている。
【００３９】
なお、洗浄ホースとしては、後方噴射型の他に、洗浄水をノズルから前方へ噴射する前方噴射型のものや、前方及び後方の両方に噴射可能なハイブリッドの前方・後方噴射型のものがあるが、本願では、後方噴射型のものを用いる。サイフォン排水システムでは、サイフォン排水管の径が小さく、前方噴射では通管しにくいため、後方噴射での洗浄が適している。
【００４０】
次に、本実施形態における、サイフォン排水管２２の洗浄について説明する。サイフォン排水管２２（竪管２６、及び横引き管２４）を洗浄する際には、まず、サイフォン排水システム用継手６０の閉鎖部材７０を挿入部６８から取り外し、挿入部６８を開放する。そして、図６に示すように、洗浄ホース８０をノズル部８４から開口６８Ａへ挿入し、中空部６０Ａを経て流入連結部６４、竪管２６へ挿入する。そして、洗浄水を噴出させつつ、ノズル部８４を上流側へと移動させて竪管２６内を洗浄し、横引き管２４内へも挿入して洗浄する。サイフォン排水管２２は、途中で他の管と合流されていないため、洗浄ホース８０は他の枝管に挿入されてしまうことがなく、スムーズに上流へと送ることができる。
【００４１】
洗浄時にノズル部８４から噴射された洗浄水はサイフォン排水管２２に付着した汚れ等を洗浄しつつ、これらの汚れと共に下流側へ流れ、流入連結部６４から中空部６０Ａへ流入する。そして、洗浄水は、流入連結部６４と対向する位置に配置された流出連結部６６へ向かい、合流部継手４２、継手４０を経て、排水立て管１２へ流出される。
【００４２】
サイフォン排水管２２は、従来工法の排水管と比較して径が小さいため、洗浄ホース８０から噴射された洗浄水（特に後方噴射型の場合）は、洗浄ホースの挿入側へ向かうが、本実施形態では、サイフォン排水管２２の下流側から洗浄ホース８０を挿入しているので、挿入側へ向かった洗浄水を下流側へ流すことができる。また、洗浄ホース８０を挿入する挿入部６８は、洗浄水の中空部６０Ａへの流入方向と対向していないため、挿入部６８からの洗浄水の流出を抑制することができる。
【００４３】
このように、本実施形態のサイフォン排水システム用継手６０をサイフォン排水システム１０の合流部に設置し、洗浄ホース８０をサイフォン排水システム用継手６０の挿入部６８から上流へ向かって挿入することにより、洗浄水の挿入部６８からの溢れ出しを抑制してサイフォン排水管２２を容易に洗浄することができる。
【００４４】
なお、本実施形態では、流入連結部６４の中空部６０Ａ側にテーパー部６０Ｔを形成したが、テーパー部６０Ｔは必ずしも必要ではない。特に、テーパー部６０Ｔを形成することにより、洗浄ホース８０のノズル部８４を容易に流入連結部６４へ挿入することができる。
【００４５】
また、図７に示すように、本実施形態のサイフォン排水システム用継手６０の挿入部６８の内側に、従動回転可能なローラ対６８Ｒを取り付け、ローラ対６８Ｒで洗浄ホース８０の外側を保持するようにしてもよい。このように、ローラ対６８Ｒを設けることにより、洗浄ホース８０の送り出し、及び、引き込みを、スムーズに行うことができる。なお、ローラ対６８Ｒに代えて、他の回転部材、例えば、ボールベアリングなどを設けても、同様の効果を得ることができる。
【００４６】
また、本実施形態では、サイフォン排水システム用継手６０の挿入部６８の開口６８Ａを、取り外し可能な閉鎖部材７０で閉鎖しているが、閉鎖部材７０に代えて、シャッタ部材７２で開口６８Ａを閉鎖してもよい。この場合には、図８（Ａ）、図９（Ａ）に示すように、挿入部として本体部６２から突出させることなく開口６８Ａを構成する。そして、本体部６２の開口６８Ａを挟んだ両側面に鉛直方向に沿って互いに平行に一対のガイド部７４（図８（Ｂ）参照）を形成し、このガイド部７４にシャッタ部材７２をスライド可能に係合させる。シャッタ部材７２の下辺に洗浄ホース８０用の切欠穴７２Ｋを設けておけば、シャッタ部材７２が閉鎖位置Ｐ１に配置されているときには、切欠穴７２Ｋは開口６８Ａよりも下側に配置されて開口６８Ａが閉鎖される。シャッタ部材７２を開放位置Ｐ２に配置して開口６８Ａを開放することにより（図９（Ｂ）参照）、洗浄ホース８０の挿入、操作が容易になる。また、洗浄ホース８０の挿入後にシャッタ部材７２を洗浄位置Ｐ３に配置することにより（図９（Ｃ）参照）、開口６８Ａの大部分が閉鎖され、開口６８Ａからの洗浄水の流出を抑制することができる。
【００４７】
また、本実施形態では、サイフォン排水システム用継手６０と継手４０との間に合流部継手４２を配設したが、合流部継手４２を配設することなくサイフォン排水システム用継手６０の流出連結部６６を直接継手４０へ連結させてもよい。
【００４８】
また、図１０及び図１１に示すように、内部に中空部４２Ａの構成された合流部継手４２の上流端に、竪管２６を連結可能な流入連結部４４を形成し、流入連結部４４の外側に、竪管２６との連結状態を保持する保持部材４５を設ける構成としてもよい。この場合にも、流入連結部４４の中空部４２Ａ側に段差部４２Ｄを構成して竪管２６の先端部が当接されるようにし、段差部４２Ｄよりも中空部４２Ａ側に、中空部４２Ａへ向かって大径となるテーパー部４２Ｔを構成する。また、継手４０との連結部分が中空部４２Ａ内に流入した排水や洗浄水を流出させる流出連結部４６となる。そして、合流部継手４２の側面に洗浄ホース８０を挿通可能な挿入穴４３を構成し、通常時には栓４１で挿入穴４３を閉鎖するようにしてもよい。栓４１は、シール性に優れたゴムや樹脂で構成することができる。
【００４９】
また、本実施形態では、サイフォン排水システム用継手６０の流入連結部６４は、本体部６２と一体的に構成されている例について説明したが、図１２に示すように、本体部６２の上側を開口形状とし、流入連結部を別部材の流入連結蓋６４Ｆとしてもよい。流入連結蓋６４Ｆは、略円板状とされ、竪管２６を差し込み可能な複数の連結穴６４Ｈが構成されると共に（図１３参照）、外縁部分が本体部６２の外側に外挿可能なように凸条とされている。連結穴６４Ｈの下側には、竪管２６が当接される段部６４Ｄが構成され、段部６４Ｄから中空部６０Ａへ向かって大径となるテーパー形状とされている。流入連結蓋６４Ｆを本体部６２の上側へ取り付けて本体部６２の開口を覆い、連結穴６４Ｈへ竪管２６を差し込むことにより、本発明のサイフォン排水システム用継手６０として用いることができる。
【００５０】
また、図１４に示すように、サイフォン排水システム用継手６０の流入連結部６４が、竪管２６の上側に配置されるように構成することもできる。この場合には、図１５にも示すように、本体部６２を上側へ長く形成し、上端を開口形状とする。そして、段部６４Ｄの構成されない流入連結蓋６４Ｆで開口を閉鎖し、竪管２６を連結穴６４Ｈへ挿通させて先端を本体部６２の下部に配置させる。この構成によれば、竪管２６の大部分がサイフォン排水システム用継手６０の内部に配置されるので、竪管２６を保護することができる。
【００５１】
また、本実施形態では、サイフォン排水システム用継手６０を常時サイフォン排水システムに設置している例について説明したが、サイフォン排水システム用継手６０は、洗浄時にのみ用い、非洗浄時には公知の継手により、竪管２６を排水立て管１２へ接続してもよい。常時設置しないのであれば、サイフォン排水システム用継手６０には、閉鎖部材７０は必要ではない。
【００５２】
［第２実施形態］
次に、本発明の第２実施形態について説明する。本実施形態では、第１実施形態と同一の部分については、同一の符号を付してその詳細な説明は説明する。
【００５３】
本実施形態のサイフォン排水システム１１は、図１６に示すように、第１実施形態で説明したサイフォン排水システム用継手６０を備えておらず、合流部継手４２に竪管２６及び排水立て管１２が連結されている。複数の竪管２６は合流部継手４２に連結後に合流され、合流部継手４２が排水立て管１２へ連結されている。本実施形態では、洗浄用継手９０を用いて、サイフォン排水管２２を洗浄する。
【００５４】
図１７に示すように、洗浄用継手９０は、本体部９２、竪管連結部９４、ホース挿入部（以下、「挿入部」という）９６、及び、合流連結部９８を備えている。
【００５５】
本体部９２は、内部に中空部９２Ａが構成されており、本体部９２に、竪管連結部９４、ホース挿入部９６、及び、合流連結部９８が形成されている。
【００５６】
竪管連結部９４は、本体部９２の上側に配置され、竪管２６を外挿可能な円筒形状とされている。竪管連結部９４の筒内は、中空部９２Ａに連通されている。
【００５７】
挿入部９６は、本体部９２の側面から外側に突出され上方向に屈曲された管状とされている。挿入部９６の管内は、中空部９２Ａに連通されると共に洗浄ホース８０を挿入可能な管径とされている。
【００５８】
合流連結部９８は、本体部９２の挿入部９６と逆側の側面から外側に突出され上方向に屈曲された後に下方向へＵ字に折り返された管状とされている。このＵ字の上端は、挿入部９６の上端よりも低い位置に配置されるように構成されている。合流連結部９８は、先端が合流部継手４２の竪管連結部４２Ｂに連結可能とされると共に、管内が中空部９２Ａに連通されている。なお、合流連結部９８は、可撓管を用いて構成することもできる。
【００５９】
次に、本実施形態における、サイフォン排水管２２の洗浄について説明する。サイフォン排水管２２（竪管２６、及び横引き管２４）を洗浄する際には、まず、竪管２６の下流端部を合流部継手４２から取り外し、洗浄用継手９０の竪管連結部９４へ連結する。次に、洗浄ホース８０をノズル部８４から挿入部９６へ挿入し、中空部９２Ａを経て竪管連結部９４、竪管２６へ挿入する。そして、洗浄水を噴出させつつ、ノズル部８４を上流側へと移動させて竪管２６内を洗浄し、横引き管２４内へも挿入して洗浄する。サイフォン排水管２２は、途中で他の管と合流されていないため、洗浄ホース８０が他の枝管に挿入されてしまうことがなく、スムーズに上流へと送ることができる。
【００６０】
洗浄時にノズル部８４から噴射された洗浄水は下流側へ流れ、竪管連結部９４から中空部９２Ａへ流入する。そして、洗浄水は、合流連結部９８へ向かい、合流部継手４２を経て、排水立て管１２へ流出される。
【００６１】
本実施形態でも、サイフォン排水管２２の下流側から洗浄ホース８０を挿入しているので、洗浄ホースの挿入側へ向かった洗浄水を下流側へ流すことができる。また、洗浄ホース８０の挿入部９６は、洗浄水の中空部９２Ａへの流入方向と対向しておらず、合流連結部９８の上端よりも高い位置に配置されるので、挿入部９６からの洗浄水の流出を抑制することができる。
【００６２】
このように、本実施形態の洗浄用継手９０を用いることにより、既存のサイフォン排水システムに変更を加えることなく、サイフォン排水管２２を容易に洗浄することができる。
【００６３】
［その他の形態］
サイフォン排水システムにおいては、前述したように、洗浄ホースと管の内壁との隙間が狭く、洗浄ホースから後方噴射された洗浄水の多くは洗浄ホースの挿入口側へ流れ、挿入口から外へ溢れてしまうという問題を有している。そこで、この溢れ出しを解消するために、洗浄ホースの挿入側へ戻る洗浄水をポンプ１００Ｐを用いて吸い出してもよい。この場合には、図１８に示すように、サイフォン排水管２２への洗浄ホース８０の挿入を、貯留槽５０側から行い、洗浄水をノズル８４Ｎから後方噴射させて洗浄を行うと共に、貯留槽５０へ溢れる洗浄水を、ポンプ１００Ｐで吸引して別の容器１０２へ排出させることができる。
【００６４】
また、貯留槽５０を備えていないサイフォン排水システムにおいては、図１９に示すように、水廻り器具１６としての浴槽１６Ｙからサイフォン排水管２２へ洗浄ホース８０を挿入し、後方噴射により洗浄を行う。このとき、浴槽１６Ｙの開口部分に蓋Ｆを配置しておき、洗浄水が浴槽１６Ｙの外側へ向かって飛び出すことを抑制する。そして、ポンプ１００Ｐで吸引して別の容器１０２へ排出させることができる。
【００６５】
また、並列配置されているサイフォン排水管２２同士を、洗浄時にのみ連結させ、一方のサイフォン排水管２２を洗浄するときの洗浄水を、他のサイフォン排水管２２へ流出させるようにしてもよい。この場合には、図２０に示すように、Ｈ形状の洗浄連結継手１１０を用いて２本のサイフォン排水管２２同士を連結させることができる。洗浄の際には、竪管２６の下流端から洗浄ホース８０を挿入し、洗浄を行う。後方噴射された洗浄水は、一部が他のサイフォン排水管２２へ流出することから、洗浄中の竪管２６の下流端からの溢れ出し量を少なくすることができる。
【符号の説明】
【００６６】
１０ サイフォン排水システム
１２ 排水立て管
２２ サイフォン排水管
２４ 横引き管
２６ 竪管
４４ 流入連結部
４６ 流出連結部
６０ サイフォン排水システム用継手
６２ 本体部
６４ 流入連結部
６５ 保持部材
６６ 流出連結部
８０ 洗浄ホース
９０ 洗浄用継手
９２ 本体部
９４ 竪管連結部
９６ ホース挿入部
９８ 合流連結部
【図１】
2014111890.tif 000003
【図２】
2014111890.tif 000004
【図３】
2014111890.tif 000005
【図４】
2014111890.tif 000006
【図５】
2014111890.tif 000007
【図６】
2014111890.tif 000008
【図７】
2014111890.tif 000009
【図８】
2014111890.tif 000010
【図９】
2014111890.tif 000011
【図１０】
2014111890.tif 000012
【図１１】
2014111890.tif 000013
【図１２】
2014111890.tif 000014
【図１３】
2014111890.tif 000015
【図１４】
2014111890.tif 000016
【図１５】
2014111890.tif 000017
【図１６】
2014111890.tif 000018
【図１７】
2014111890.tif 000019
【図１８】
2014111890.tif 000020
【図１９】
2014111890.tif 000021
【図２０】
2014111890.tif 000022